(57)【要約】【課題】  動画再生時において複数のリンク先を簡単に選択できるよう、ダイナミックに提供できる受信装置、受信システム及び通信方法を提供する。【解決手段】  操作信号に応じて外部装置とリンクして、動画情報とリンク情報を受信する通信部と、通信部が受信するリンク情報を所定タイミングで反復して最新のリンク情報に更新する更新部と、動画情報と最新のリンク情報を一画面中に表示する画面情報を生成する合成部と、リンク情報の中のあるリンク先を特定する操作信号を受けると、通信部のリンク先を特定されたリンク先に変更する制御部をもつ受信装置。【選択図】図１
2008113385.tif 000002
【特許請求の範囲】
【請求項１】
操作信号に応じて外部装置とリンクして、動画情報とリンク情報を受信する通信部と、
前記通信部が受信する前記リンク情報を所定タイミングで反復して最新のリンク情報に更新する更新部と、
前記動画情報と前記最新のリンク情報を一画面中に表示する画面情報を生成する合成部と、
前記リンク情報の中のあるリンク先を特定する操作信号を受けると、前記通信部のリンク先を特定されたリンク先に変更する制御部と、
を具備することを特徴とする受信装置。
【請求項２】
前記合成部は、複数のリンク先と現在のリンク先の階層表示とを一画面に表示する画像情報を生成することを特徴とする請求項１記載の受信装置。
【請求項３】
前記制御部は、リモコンの数字キーによる操作信号を受けることで前記リンク情報の中の、その数字キーに割り当てられた一つのリンク先を特定することを特徴とする請求項１記載の受信装置。
【請求項４】
前記合成部及び制御部は、前記画面情報において前記複数のリンク先を表示しない非表示モードを任意に選択できることを特徴とする請求項１記載の受信装置。
【請求項５】
前記制御部の前記リンク先とは、ＵＲＬ又はマルチキャストのアドレス情報であることを特徴とする請求項１記載の受信装置。
【請求項６】
前記制御部は、移動前のリンク情報を記憶領域に格納しておき、操作信号に応じて移動前のリンク先に戻るべく前記通信部を制御することを特徴とする請求項１記載の受信装置。
【請求項７】
放送信号を受信し復調して、前記放送信号の復調信号から前記リンク情報を取得するチューナ部を更に有することを特徴とする請求項１記載の受信装置。
【請求項８】
動画情報とリンク情報を生成し送信する供給装置と、前記動画情報と前記リンク情報を受信する受信装置からなる受信システムであって、
前記供給装置は、前記動画情報と前記リンク情報を生成して送信し、
前記受信装置は、操作信号に応じて前記供給装置とリンクして、前記動画情報と前記リンク情報を受信する通信部と、前記通信部が受信する前記リンク情報を所定タイミングで反復して最新のリンク情報に更新する更新部と、前記動画情報と前記最新のリンク情報を一画面中に表示する画面情報を生成する合成部と、前記リンク情報の中のあるリンク先を特定する操作信号を受けると、前記通信部のリンク先を特定されたリンク先に変更する制御部を具備していることを特徴とする受信システム。
【請求項９】
前記受信装置の前記合成部は、複数のリンク先と現在のリンク先の階層表示とを一画面に表示する画像情報を生成することを特徴とする請求項８記載の受信システム。
【請求項１０】
動画情報とリンク情報を生成し送信する供給装置と、前記動画情報と前記リンク情報を受信する受信装置との間の通信方法であって、
前記供給装置は、前記動画情報と前記リンク情報を生成して送信し、
前記受信装置において、操作信号に応じて前記供給装置とリンクして、前記動画情報と前記リンク情報を受信し、
前記リンク情報を所定タイミングで反復して最新のリンク情報に更新し、
前記動画情報と前記最新のリンク情報を一画面中に表示する画面情報を生成し、
前記リンク情報の中のあるリンク先を特定する操作信号を受けると、前記供給装置へのリンク先を特定されたリンク先に変更することを特徴とする通信方法。
【発明の詳細な説明】
【技術分野】
【０００１】
この発明は、プロバイダからネットワークを介して動画情報とダイナミックなリンク情報を受ける受信装置、受信システム及び通信方法に関する。
【背景技術】
【０００２】
最近、デジタル伝送技術の発達及び多様化に伴い、従来の一方通行的なテレビ放送等の放送サービスだけではなく、ユーザの要望に応じた任意のコンテンツ配信サービスである双方向のビデオ・オン・デマンド・サービスの利用が拡大してきている。
【０００３】
特許文献１は、ビデオ・オン・デマンド・ブラウジング能力を有する双方向テレビ番組ガイドシステムの一例を開示している。
【特許文献１】特開２００４−１５９３６７公報
【発明の開示】
【発明が解決しようとする課題】
【０００４】
しかし、特許文献１の従来技術は、表示されているある一つのリンクについて選択可能なリンク先が一箇所に固定されており、例えばリモコンのボタンといった限られた選択手段に割り当てられたリンク先が、ユーザの要望に応じて画面が遷移してもそのときの表示画像に同期して変わっていくようには考えられていないという問題がある。
【０００５】
本発明は、動画再生時において複数のリンク先をダイナミックに提供できる受信装置、受信システム及び通信方法を提供することを目的とする。
【課題を解決するための手段】
【０００６】
課題を解決するための一実施形態は、
操作信号に応じて外部装置（Ｐ）とリンクして、動画情報とリンク情報を受信する通信部（１５）と、
前記通信部が受信する前記リンク情報を所定タイミングで反復して最新のリンク情報に更新する更新部（１７）と、
前記動画情報（Ｄ）と前記最新のリンク情報（２２）を一画面中に表示する画面情報を生成する合成部（１４）と、
前記リンク情報の中のあるリンク先を特定する操作信号を受けると、前記通信部のリンク先を特定されたリンク先に変更する制御部（１７）と、
を具備することを特徴とする受信装置である。
【発明の効果】
【０００７】
リモコン等の数字キー等で番組の進行に応じた複数のリンク先を選択することで、操作性を向上させ、かつ、コンテンツを選択中でも動画コンテンツを視聴できるため、動画コンテンツを参照している時間を長くすることが可能となる。
【発明を実施するための最良の形態】
【０００８】
以下、この発明の実施の形態について図面を参照して詳細に説明する。
【０００９】
＜本発明の一実施形態に係る受信装置＞
初めに、図１を用いて、本発明の一実施形態に係る受信装置の構成の一例を説明する。図１は、本発明の一実施形態に係る受信装置の構成の一例を示すブロック図である。
【００１０】
本発明の一実施形態に係る受信装置の一例として、図１において、受信装置１０は、動画コンテンツのサンプルや宣伝をマルチキャストでループ配信するプロバイダＰと通信可能である。受信装置１０は、全体の動作を制御する制御部１１と、地上波、ＢＳ放送、ＣＳ放送等のデジタル放送、アナログ放送を受信する各チューナ機能をもったチューナ１２と、ＭＰＥＧデコード機能、復号機能等をもち各種映像音声信号を処理する映像音声処理部１３とを持っている。
【００１１】
更に、受信装置１０は、リンク情報等の各種制御情報を通常の映像に合成する画像合成部１４と、インターネット等のネットワーク等を介して上述したプロバイタＰ等と通信を行なう通信部１５と、数字キー等をもったリモコンＲと、このリモコンＲ等と通信機能をもち更に操作ボタン等をもった操作入力部１６と、後述するリンク情報の管理等を行なうリンク制御部１７と、映像音声処理部１３からの音声を出力するスピーカ１８と、映像音声処理部１３からの映像を表示する表示部１９をもっている。
【００１２】
このような受信装置１０は、通常の放送信号であるデジタル放送、アナログ放送をチューナ１２で受信し復調して、表示部１９に表示する。又、受信装置１０は、ＶＯＤ（Video On Demand）（登録商標）機能として、ユーザが任意に選択した操作入力部１６からの操作信号に応じて、通信部１５を介するインターネット等を経由してプロバイタＰ等からコンテンツ情報を直接ダウンロードして再生し、これを表示部１９に表示することができる。
【００１３】
＜本発明の一実施形態であるリンク処理の一例＞
次に、本発明の実施形態であるリンク処理の一例をフローチャート等を用いて、以下に詳細に説明にする。図２は、本発明の一実施形態に係る受信装置のリンク階層の一例を示す説明図である。図３は、本発明の一実施形態に係る受信装置の表示画面の一例を示す説明図である。図７は、本発明の一実施形態に係る受信装置の表示画面の遷移の一例を示す説明図である。
【００１４】
（リンク処理の詳細説明）
本発明の一実施形態である受信装置１０においては、ＩＰ通信を利用した放送・ＶＯＤサービスにおいて、動画コンテンツのサンプルや宣伝をマルチキャストでループ配信し、ユーザが見たいコンテンツを選択することで、ＶＯＤサービス又は別のマルチキャストのループ配信へ移行することを可能にする。すなわち、プロバイダＰから動画コンテンツをダウンロードし再生すると同時に、図２に示すような階層的なリンク情報を受信し常にこれを更新して、図３に示すように操作ガイド２２として、リモコンＲ等の数字キー等で選択可能に画面Ｄ上に表示する。又、現在のリンクの図２の階層中の位置を、コンテンツ名階層表示２１として表示することも可能である。
【００１５】
まず、端末の本機能起動時には、初期のマルチキャストのアドレス（ＲＯＯＴ）に対する受信処理を行い、この受信したパケットを再生する。同時に、マルチキャストで、ＶＯＤのコンテンツのＵＲＬや他マルチキャストのアドレス情報もサーバより送信され（１秒〜０.１秒毎に１パケット程度）、端末にて受信している。以下のように受信した情報を活用する。
【００１６】
すなわち、マルチキャスト（ＵＤＰ，ＲＴＰ）のコンテンツ受信中、マルチキャスト（ＵＤＰ，ＲＴＣＰ）で、ユニキャスト向けＵＲＬ情報や、他マルチキャストアドレスも同時受信している。この別のストリームへアクセスするための情報を、リンク情報と呼ぶ。
【００１７】
このリンク情報は、コンテンツにあわせ、時間とともに更新されていく。リモコンの「決定」や数字などのボタンを押すと、その時点でのリンク情報をもとに、対応するコンテンツへ切り替える。
【００１８】
対応するコンテンツには、ユニキャストと、マルチキャストの２種類がある。  
・ユニキャストの場合：主にＶＯＤ
ＲＴＳＰサーバやＨＴＴＰサーバのアドレス（ＵＲＬ）をアクセスし、サーバへストリームの送出を開始するための手続きを行う。
【００１９】
受信したパケットを再生し、再生終了すると、ＶＯＤを選択する前のストリームの受信へ戻る。再生中に、ユニキャストにてリンク情報を受信してもよく、リンク情報にエントリが１つ以上あるとき、別のストリームへ切り替え可能となる。
【００２０】
・マルチキャストの場合：ループ配信
選択したマルチキャストの受信を開始するための手続きを行い、受信したパケットを再生する。再生終了すると、前のマルチキャストの受信へ戻る。再生中に、マルチキャストにてリンク情報を受信してもよく、リンク情報にエントリが１つ以上あるとき、別のストリームへ切り替え可能となる。
【００２１】
又、ここでのリンク情報は、受信毎に更新されるもので、リンク情報は、切り替え先のエントリが１つもない場合もある。１つもない場合は、前回の情報がクリアされ、エントリが１つもない状態になる。
【００２２】
リンク情報によって、ストリームを切り替えるとき、切り替える前の元のストリームの場所をスタックに保管する。
【００２３】
又、エントリは、操作ボタン：ＵＲＬ：コンテンツ名（オプション）で構成される。
【００２４】
この操作ガイド２２は、動画コンテンツ中に入れておいてもよいし、受信しているリンク情報より端末側で生成し、動画コンテンツ上に文字を重ねてもよい。
【００２５】
又、操作ガイド２２のリンク先を選択する方法として、操作ボタンに数字を利用し、その数字１桁を１操作とし、数桁で数回の選択（分岐）先のコンテンツをコンテンツ番号であらわすことが好適である。数桁の数字の入力にて、コンテンツの選択をできるようにする。
【００２６】
すなわち、制御部１１、リンク制御部１７は、１回で『３２２』と選択しても、『３』『２』『２』と順に選択した場合と同じリンク先として解釈することが好適である。
【００２７】
なお、順に切り替えた場合では反応が遅いため、制御部１１、リンク制御部１７、画像合成部１４に、以下のような機能を制御部１１、リンク制御部１７に持たせる。すなわち、数桁の番号を、端末に記録されている検索用ＵＲＬを利用して検索し、その結果をサーバより、対応するコンテンツのＵＲＬまたはマルチキャストアドレス情報を受け取る。その後、そのコンテンツの再生処理を行う。
【００２８】
又、制御部１１、リンク制御部１７、画像合成部１４は、ビデオ画像中に、図２のコンテンツ階層表示２１のように現在選択されているコンテンツ名を表示することが好適である。このとき、同時にリンクの階層も表示可能である。
【００２９】
又、制御部１１、リンク制御部１７、画像合成部１４は、画面情報において複数のリンク先である操作ガイド２２を表示しない非表示モードを設け、ユーザの操作信号に応じて任意にこの非表示モードを選択できることが好適である。
【００３０】
又、ＩＰ通信のみを活用するだけでなく、チューナ１２を利用して、放送信号にリンク情報の受信先の情報を重畳し、これを検出してＩＰ通信のコンテンツ移動を行なうことも好適である。
【００３１】
すなわち、電波を利用した放送をＲＯＯＴとし、電波放送を受信しながら、マルチキャストにてリンク情報を受信することで、ユーザ操作により、リンク情報にあるコンテンツへ移動することが好適である。
【００３２】
又、ＩＰの動画コンテンツより、電波放送へ移動可能とすることも好適である。
【００３３】
同様に、ＩＰの動画コンテンツよりＷＷＷページへ移動することもよく、又は、ＷＷＷページからＩＰの動画コンテンツへの移動することも好適である。この場合は、リンク先情報にＷＷＷページのＵＲＬを含めたり、ＷＷＷページ参照中に、リンク情報を（ユニキャストまたはマルチキャストで）受信することで実現するものである。
【００３４】
（具体的な画面表示の一例）
これらの機能による画面表示の一例が図７に示される。図７に示すように、本発明の一実施形態である受信装置１０は、動画コンテンツが再生される画面Ｄ１において、同時に、リンク先の候補を操作ガイド２２として、又、現在のリンクの階層中の位置をコンテンツ名階層表示２１として表示する。このリンク情報はダイナミックであり番組の進行に応じて変移して行くもので、画面Ｄ２のように消滅したり、画面Ｄ３のように異なるリンク情報が表示されたり、画面Ｄ４のように再び消滅したりする。
【００３５】
そして、画面Ｄ５の操作ガイド２２に対して、ユーザがリモコンＲ等の数字キー等でリンク先『（２）「ゴルフ」』を特定すれば（ステップＳ４１）、画面Ｄ６のように、『（２）「ゴルフ」』のリンク先に通信部１５のリンク先が変更され、新たなリンク先の映像が表示される。
【００３６】
更に、画面Ｄ７のように、時間が経過して新しいリンク先へ変更され、この時点でユーザがリモコンＲ等の数字キー等でリンク先『（３）「クラブ」』を特定すれば（ステップＳ４２）、画面Ｄ８のように、通信部１５のリンク先が『（３）「クラブ」』のリンク先に変更され、新たなリンク先の映像が表示される。
【００３７】
この段階で、ユーザがリモコンＲ等の戻りキー等を押下すれば（ステップＳ４３）、画面Ｄ９のように、先のリンク先『（２）「ゴルフ」』に画面が戻り、更に、ユーザがリモコンＲ等の戻りキー等を押下すれば（ステップＳ４４）、画面Ｄ１０のように、『ＲＯＯＴ』までリンク先が戻ることになる。
【００３８】
このように、本発明の一実施形態である受信装置１０においては、リンク先は時間の経過に従って常に更新されていくものであり、ユーザは、リモコンＲの数字キー等の簡単な操作によりリアルタイムにリンク先を変更して、希望のコンテンツを視聴することができる。
【００３９】
（リンク処理のフローチャートを用いた詳細説明）
次に、上述した本発明の一実施形態である受信装置１０のリンク機能を可能とするための３つの処理、すなわち、図４に示すフローチャートで特定されるリンク制御処理、図５に示すフローチャートで特定される動画再生処理、図６に示すフローチャートで特定されるリンク情報受信処理を詳細に説明する。
【００４０】
初めに、本発明の一実施形態であるリンク処理は、図４のフローチャートで特定されるリンク制御処理の動作により実現される。更に、このリンク制御処理に動作が制御される図５のフローチャートが示す動画再生処理とこれに追随する図６のフローチャートのリンク情報受信処理により実現される。
【００４１】
・リンク制御処理（図４）
本発明の一実施形態である受信装置において、図４のフローチャートが示すように、ユーザが受信装置の電源を投入し、リモコンＲ等の操作によってＶＯＤ機能を起動させると、制御部１１及びリンク制御部１７は、このタイミングで後述する図５のフローチャートが示す動画再生処理が開始される（ステップＳ１）。これにより、通信部１５は、インターネット等のネットワークを介して、プロバイダＰから所望の動画コンテンツとリンク情報とをダウンロードして、動画コンテンツに応じた映像が表示部１９に表示される。
【００４２】
制御部１１及びリンク制御部１７は、ある動画コンテンツが再生されている状態で、ユーザのリモコンＲ等の操作信号やコマンドが与えられることを待機する（ステップＳ２）。ここで、例えば、ユーザがリモコンＲ等のパワースイッチをオフしたり、ＶＯＤ機能の停止スイッチを押下したりすると、制御部１１及びリンク制御部１７は、後述する図５の動画再生処理へ停止通知を行なう（ステップＳ４）。ここで、例えば、ユーザがリモコンＲ等の再生停止スイッチを押下したり、戻りキーを押下したり、プロバイダＰ等から終端通知を受けたりしたら、制御部１１及びリンク制御部１７は、図示しない記憶領域であるスタックに保存されている先のリンク先等を取得し、そのリンク先の再生処理を開始する（ステップＳ７）。
【００４３】
また、ここで、ユーザがリモコンＲ等の数字キーを押下して、操作ガイド２２のあるリンク先を特定すると、制御部１１及びリンク制御部１７は、リンク情報に数字キー等が特定したアドレス情報があるかどうかを判断し、ある場合は以下の処理を継続し、無い場合は異常処理を行なう（ステップＳ５）。すなわち、制御部１１及びリンク制御部１７は、現在位置（エントリ）を記憶領域であるスタックに保存する。そして、通信部１５が新たなリンク先にアクセスして該当する動画コンテンツの動画再生を行なう。又、対象が動画コンテンツでなくＵＲＬ等が指定された場合は、通信部１５は、このＵＲＬにアクセスして、指定ＵＲＬの情報をダウンロードし復号して画面表示する（ステップＳ６）。
【００４４】
次に、リンク制御処理で起動される動画再生処理とリンク情報受信処理の動作の詳細を以下に述べる。
【００４５】
・動画再生処理（図５）
この動画再生処理は、図４のリンク制御処理のステップＳ１等により起動され、制御部１１及びリンク制御部１７は、リンク情報を初期化し、通信部１５等を起動させて、ユーザの操作信号等により指定されているリンク先にアクセスすると同時に、後述する図６のリンク情報受信処理を開始させる（ステップＳ１１）。そして、通信部１５等は、プロバイタＰ等から所望の動画コンテンツとリンク情報をダウンロードする（ステップＳ１２）。
【００４６】
そして、動画音声データを映像・音声処理部１３へ供給して再生処理を続行する（ステップＳ１４）。
【００４７】
その後、上述した図４のリンク制御処理のフローチャートのステップＳ４等から停止通知を受けると、停止処理が行なわれて、後述する図６のリンク情報受信処理へ停止通知を行ない、自身の動画再生も終了する（ステップＳ１６）。
【００４８】
又、プロバイタＰ等から供給される受信データ内に終端信号が検出されると、制御部１１及びリンク制御部１７は、図４のリンク制御処理へ終端通知を送る（ステップＳ１５）。
【００４９】
・リンク情報受信処理（図６）
リンク情報受信処理は、主に図５の動画再生処理のステップＳ１１等により起動され、制御部１１及びリンク制御部１７は、リンク情報を初期化し、通信部１５等を起動させて、ユーザの操作信号等により指定されているリンク先にアクセスする。そして、通信部１５等は、プロバイタＰ等から所望の動画コンテンツと共にリンク情報をダウンロードする（ステップＳ２２）。
【００５０】
制御部１１及びリンク制御部１７は、受信したリンク情報を検出すると（ステップＳ２３）、ユーザのリモコンＲからの操作信号がなくとも、受信したリンク情報を自律的に常時、更新していく。又、所定時間毎（例えば１秒毎）に受信したリンク情報を自律的に更新することも好適である。又、リンク情報の変化を自律的に常時検出して、変化があればリンク情報を更新することが好適である（ステップＳ２４）。これにより、図７で示したような画面Ｄ１から画面Ｄ２の操作ガイドなし、画面Ｄ３の新しい操作ガイドの表示が可能となる。
【００５１】
このようなリンク情報受信処理は、動画再生処理から停止通知があるまで継続され（ステップＳ２３）、停止通知があると、制御部１１及びリンク制御部１７は、リンク情報受信処理を終了する（ステップＳ２５）。
【００５２】
以上、詳細に説明した本発明の一実施形態に係る受信装置によれば、ユーザにとって、コンテンツの選択が容易となる。すなわち、画面上のリンク先を参照して選択を活用し、ユーザの動画コンテンツの再生開始時間を合わせることができるため、マルチキャストによるループ配信の活用により、ユニキャストを多用した場合に比べ、送出サーバのコストを削減することができる。
【００５３】
又、動画コンテンツに広告をいれた場合、ユニキャストには、趣向に絞った広告をいれ、また、マルチキャストには時間/期間に絞った広告をいれるなど、広告の費用対効果を上げることができる。目的のコンテンツに到達するまでの間も、ユーザは動画コンテンツを参照するため、動画の広告を参照する時間も相対的に長くなる。
【００５４】
又、更に、本発明の一実施形態に係る受信装置によれば、ユーザは、電波放送からＩＰのコンテンツへシームレスに移動することも可能となる。
【００５５】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５６】
【図１】本発明の一実施形態に係る受信装置の構成の一例を示すブロック図。
【図２】本発明の一実施形態に係る受信装置のリンク階層の一例を示す説明図。
【図３】本発明の一実施形態に係る受信装置の表示画面の一例を示す説明図。
【図４】本発明の一実施形態に係る受信装置のリンク制御処理の一例を示すフローチャート。
【図５】本発明の一実施形態に係る受信装置の動作再生処理の一例を示すフローチャート。
【図６】本発明の一実施形態に係る受信装置のリンク情報受信処理の一例を示すフローチャート。
【図７】本発明の一実施形態に係る受信装置の表示画面の遷移の一例を示す説明図。
【符号の説明】
【００５７】
Ｐ…プロバイダ、１０…受信装置、１１…制御部、１２…チューナ、１３…映像音声処理部、１４…画像合成部、１５…通信部、１６…操作入力部、１７…リンク制御部、１８…スピーカ、１９…表示部、Ｒ…リモコン。
【図１】
2008113385.tif 000003
【図２】
2008113385.tif 000004
【図３】
2008113385.tif 000005
【図４】
2008113385.tif 000006
【図５】
2008113385.tif 000007
【図６】
2008113385.tif 000008
【図７】
2008113385.tif 000009